(57)【要約】【課題】拡大レンズの突出・後退を片手で操作することができるとともに、拡大レンズを携帯電話から取り外す必要のない拡大レンズ付携帯電話を提供する。【解決手段】携帯電話１の裏側に、板状の拡大レンズ３を突出・後退可能に収納する拡大レンズ収納ケース２が装着された拡大レンズ付携帯電話において、拡大レンズ収納ケースの２上面に拡大レンズ３のスライド方向に両端７が閉じられたスライド溝６が形成され、拡大レンズ３をスライドさせるスライダー５がスライド溝内をスライド可能にスライド溝６から突出して配置されている拡大レンズ付携帯電話。【選択図】図１
0003117100.tif 000002
【実用新案登録請求の範囲】
【請求項１】
携帯電話の裏側に、板状の拡大レンズを突出・後退可能に収納する拡大レンズ収納ケースが装着された拡大レンズ付携帯電話において、
拡大レンズ収納ケースの上面に拡大レンズのスライド方向に両端が閉じられたスライド溝が形成され、
拡大レンズをスライドさせるスライダーがスライド溝内をスライド可能にスライド溝から突出して配置されていることを特徴とする拡大レンズ付携帯電話。
【請求項２】
拡大レンズが矩形枠内に固定され、矩形枠の一方の端部にスライダーが垂直に固定されていることを特徴とする請求項１記載の拡大レンズ付携帯電話。
【請求項３】
板状の拡大レンズの端部にスライダーが固定されていることを特徴とする請求項１記載の拡大レンズ付携帯電話。
【考案の詳細な説明】
【技術分野】
【０００１】
本考案は、携帯電話にケースから出入り可能の拡大レンズを設けたルーペ付携帯電話に関する。
【背景技術】
【０００２】
老眼の人は、新聞や本などの細かい字を見るために老眼鏡を利用している。老眼鏡は、通常、眼鏡ケースから取り出して使用する場合が多い。しかしながら、眼鏡ケースは嵩張るだけでなく即座に取り出し難いという不便さがある。
【０００３】
そこで、携帯電話は多くの人が所持していることから、例えば、特許文献１には、携帯電話機に、挿脱自在にルーペを収納する扁平な袋状の収納具を取り付けた携帯電話機取付用収納具が開示されている。この携帯電話機取付用収納具によれば、字などを読む際に、携帯電話機をいったん手から離して老眼鏡を眼鏡ケースからわざわざ取り出すことなく、片方の手で携帯電話機を持ち、もう一方の手でルーペを収納具から迅速に取り出して、簡便に使用できるというものである。
【特許文献１】特開２００４−２９７４８９号公報
【考案の開示】
【考案が解決しようとする課題】
【０００４】
前記特許文献記載の携帯電話機取付用収納具では、ルーペを収納具から取り出して使用するために、ルーペを落としたり、手から離すと忘れたりするおそれが多分にある。
【０００５】
また、前記携帯電話機取付用収納具では、片方の手で携帯電話機を持ち、もう一方の手でルーペを収納具から取り出すため、例えば、ルーペで見た字をメモしたいときなどは、携帯電話機を手から離し、筆記具に持ち替えなくてはならないという不便があるだけでなく、携帯電話機を忘れるおそれもある。
【０００６】
また、ルーペを収納具から取り出すため、ルーペを落としたり、あるいは忘れたりするおそれが多分にある。さらに、両手を使って一旦取り出したルーペを使用後に収納具に挿入して戻す必要があるため煩わしい。
【０００７】
そこで、本考案は、拡大レンズの突出・後退を片手で操作することができるとともに、拡大レンズを携帯電話から取り外す必要のないルーペ付携帯電話を提供するものである。
【課題を解決するための手段】
【０００８】
本考案は、携帯電話の裏側に、板状の拡大レンズを突出・後退可能に収納する拡大レンズ収納ケースが装着された拡大レンズ付携帯電話において、拡大レンズ収納ケースの上面に拡大レンズのスライド方向に両端が閉じられたスライド溝が形成され、拡大レンズをスライドさせるスライダーがスライド溝内をスライド可能にスライド溝から突出して配置されていることを特徴とする。
【考案の効果】
【０００９】
本考案は、拡大レンズを拡大レンズ収納ケース内でスライドさせ、ストッパーで抜け出さないようにしているので、拡大レンズの突出・後退を片手で操作することができる。また、片手で操作できるので、空いているもう一方の手で、メモを取ったり、見ている品物をさわったり動かしたりすることができる。
【００１０】
また、本考案は、拡大レンズがストッパーによりルーペ収納ケースから抜けずに一体になっているので、拡大レンズや携帯電話を置き忘れることがない。
【考案を実施するための最良の形態】
【００１１】
図１は本考案の拡大レンズ付携帯電話の裏側を示す斜視図であり、（ａ）は拡大レンズを収納した状態を示す図、（ｂ）は拡大レンズを突出させた状態を示す図である。また、図２は拡大レンズ収納ケースの断面図で、（ａ）は拡大レンズを収納した状態を示す図、（ｂ）は拡大レンズを突出させた状態を示す図である。
【００１２】
携帯電話１の裏側に、拡大レンズ収納ケース２を装着する。拡大レンズ収納ケース２の装着は、周知の装着手段で行い、例えば、接着剤で携帯電話１の裏側に直接接着したり、弾性材やクリップなどを利用して携帯電話１に挟持したり、面ファスナーを利用して着脱自在に装着することができる。拡大レンズ収納ケース２の装着方向は、拡大レンズ３のスライド方向を利用者の好みよって自由な方向に選択することができるようにする。
【００１３】
拡大レンズ収納ケース２は、矩形に形成され、一方に拡大レンズ３の出入口４を形成して、拡大レンズ３が突出・後退できるようにする。拡大レンズ収納ケース２は、拡大レンズ３に傷が付くのを防ぎ、衝撃が伝わらないようにするため、柔らかい材質、例えばＰＶＣ等を使用する。
【００１４】
拡大レンズ収納ケース内に収納する拡大レンズ３は、板状の樹脂製のフレネルレンズや板状のカラス製拡大レンズを使用する。拡大レンズ３は、矩形枠３ａ内に固定し、矩形枠３ａの一方の端部に、拡大レンズ３を拡大レンズ収納ケース２内でスライドさせるスライダー５が垂直に固定される。なお、拡大レンズ３は、板状のままで端部にスライダー５を固定してもよい。
【００１５】
拡大レンズ収納ケース２の上面には、拡大レンズ３のスライド方向に両端が閉じられたスライド溝６が形成される。スライド溝６内には、拡大レンズ３の端に固定されたスライダー５をスライド溝６から突出させてスライド可能に配置する。スライダー５はスライド溝６の閉じられた両端７がストッパーとなって、拡大レンズ収納ケース２から拡大レンズ３が抜け出るのを防止する。
【００１６】
本考案による拡大レンズ付携帯電話の拡大レンズの使用方法について説明する。
【００１７】
新聞等の字を見る際には、携帯電話１を手に持ち、指で拡大レンズ３に固定されたスライダー５を図１（ａ）に示す矢印方向に押してスライド溝６内をスライドさせて拡大レンズ３を拡大レンズ収納ケースの出入口４から突出させる。突出させる距離は、スライダー５を指で押さえることにより任意に調整できる。また、スライド溝６の閉じられた端部７がストッパーの役目をするので、拡大レンズ３が拡大レンズ収納ケース２から抜け出ることはない。
【００１８】
この状態で字を拡大して見ることができる。携帯電話１を片手で持って字を見ることができるので、必要に応じて空いたもう一方の手で筆記具をもってメモしたり、あるいは見ているものをさわったりすることができる。
【００１９】
拡大レンズ３の使用が終わると、スライダー５を突出時と逆の方向にスライドさせて拡大レンズを拡大レンズ収納ケース２内に後退させて収納する。拡大レンズ３と携帯電話１が一体となっているので、拡大レンズ３を失ったり、忘れたりすることを防止することができる。
【図面の簡単な説明】
【００２０】
【図１】本考案の拡大レンズ付携帯電話の裏側を示す斜視図であり、（ａ）は拡大レンズを収納した状態を示す図、（ｂ）は拡大レンズを突出させた状態を示す図である。
【図２】本考案の拡大レンズ収納ケースの断面図で、（ａ）は拡大レンズを収納した状態を示す図、（ｂ）は拡大レンズを突出させた状態を示す図である。
【符号の説明】
【００２１】
１：携帯電話
２：拡大レンズ収納ケース
３：拡大レンズ
４：出入口
５：スライダー
６：スライド溝
７：スライド溝の端
【図１】
0003117100.tif 000003
【図２】
0003117100.tif 000004